(57)【特許請求の範囲】
【請求項１】
被処理基板の幅方向に長いスリット状の吐出口を有し、前記基板に対して前記吐出口から薬液を吐出するノズルと、前記ノズルに対し前記基板を相対移動させる相対移動手段とを具備する塗布装置であって、
前記塗布装置の一部に配置された前記被処理基板への薬液の塗布処理の準備に用いられるプライミングローラと、前記ノズルの吐出口を前記プライミングローラの直上に対峙させることが可能なノズル移動機構と、前記ノズルに薬液を供給する薬液供給路中に配置され、前記ノズルから吐出された薬液を一時的に吸引することができる減圧手段とが具備され、
前記ノズル移動機構により、前記プライミングローラの長手方向の直上に沿って、前記ノズルのスリット状吐出口を対峙させて、前記プライミングローラ上に薬液を吐出するプライミング処理が実行される状態において、前記減圧手段によりプライミングローラ上に吐出された薬液を一時的にノズル側に吸引する動作が実行されることを特徴とする塗布装置。
【請求項２】
前記減圧手段は、前記ノズルと、当該ノズルから薬液を吐出させるポンプとの間の薬液供給路中に設けられ、空間容積を一時的に拡張することができるサックバックバルブであることを特徴とする請求項１に記載された塗布装置。
【請求項３】
被処理基板の幅方向に長いスリット状の吐出口を有し、前記基板に対して前記吐出口から薬液を吐出するノズルと、前記ノズルに対し前記基板を相対移動させる相対移動手段とを具備する塗布装置におけるノズルのプライミング処理方法であって、
前記プライミングローラの長手方向の直上に沿って、前記ノズルのスリット状吐出口を対峙させた状態において、前記ノズルより前記ローラに薬液を吐出させて、前記ノズルとローラとの間のギャップに薬液を介在させる着液ステップと、
前記プライミングローラ上に吐出された薬液を一時的にノズル側に吸引するサックバックステップと、
前記プライミングローラを回転駆動させることで、前記ギャップに介在する薬液をローラ側に巻き取り、ノズルとローラ間の薬液の介在を解いて液切れ状態にする巻き取りステップと、
を実行することを特徴とするプライミング処理方法。
【請求項４】
前記サックバックステップの実行中において、前記巻き取りステップが開始されることを特徴とする請求項３に記載されたプライミング処理方法。
【請求項５】
前記巻き取りステップは、前記プライミングローラの一方向への回転動作に続いて、プライミングローラの逆方向への回転動作が実行されるようになされ、少なくとも前記プライミングローラの一方向への回転動作中において前記サックバックステップが実行されることを特徴とする請求項３に記載されたプライミング処理方法。
【請求項６】
前記巻き取りステップの終了時において、前記プライミングローラの回転速度を加速させることで、前記液切れ状態にすることを特徴とする請求項３に記載されたプライミング処理方法。
【請求項７】
前記巻き取りステップの終了時において、前記ノズルとプライミングローラとの水平方向の距離を離す動作を実行することで、前記液切れ状態にすることを特徴とする請求項３に記載されたプライミング処理方法。
【請求項８】
前記着液ステップの実行後において、前記ノズルとローラとの間のギャップを狭める動作が実行され、前記サックバックステップの実行後において、前記ノズルとローラとの間のギャップを前記着液ステップの実行時の状態に戻し、前記巻き取りステップが開始されることを特徴とする請求項３に記載されたプライミング処理方法。
【請求項９】
前記巻き取りステップの終了時において、前記プライミングローラの回転速度を加速させることで、前記液切れ状態にすることを特徴とする請求項８に記載されたプライミング処理方法。
【発明の詳細な説明】
【技術分野】
【０００１】
この発明は、被処理基板に対して処理液を塗布する塗布装置およびこれに搭載されたノズルのプライミング処理方法に関する。
【背景技術】
【０００２】
例えばＬＣＤの製造技術分野においては、ＬＣＤ基板上に形成された半導体層、絶縁体層、電極層等を選択的に所定のパターンにエッチングする工程が実行される。この場合、前記ＬＣＤ基板上にフォトレジスト液を塗布してレジスト膜を形成し、回路パターンに対応してレジスト膜を露光し、これを現像処理するという、いわゆるフォトリソグラフィ技術が応用される。
【０００３】
前記したＬＣＤ基板上にフォトレジスト液を塗布する場合においては、溶剤に感光性樹脂を溶解してなるレジスト液を帯状に吐出するレジスト供給ノズルが採用され、方形状のＬＣＤ基板を前記ノズルの長さ方向に直交する方向に相対的に移動させて塗布する方法が知られている。
この場合、前記レジスト供給ノズルにはＬＣＤ基板の幅方向に延びる微小間隔を有するスリット状の吐出開口が備えられ、このスリット状の吐出開口から帯状（線状）に吐出されるレジスト液を基板の表面全体に供給してレジスト層を形成するようになされる。
【０００４】
前記した塗布装置に用いられるレジスト供給ノズルは、基板上にレジスト液を塗布する直前にノズルの吐出口に均一にレジスト液を付着させるためのプライミング処理が実行される。
すなわち回転可能なプライミングローラの直上にノズルの吐出口を対峙させて、ノズル吐出口からローラに対してレジスト液を吐出する。そして、ローラを回転させて前記レジスト液を巻き取ることで、ノズル吐出口におけるレジスト液の付着状態が整えられ、ノズル吐出口におけるレジスト液の吐出状態を安定化させることができる。
【０００５】
前記したプライミング処理方法およびその装置については、幾つもの提案がなされており、例えば次に示す特許文献１に開示されている。
【先行技術文献】
【特許文献】
【０００６】
【特許文献１】特開２００７−２３７０４６号公報
【０００７】
ところで、プライミング処理については、前記したとおりプライミングローラの直上においてノズルより処理液（薬液）であるレジスト液をローラ上に吐出させる動作が伴われ、ローラ上に吐出されたレジスト液はローラの回転によって巻き取られる。
【０００８】
図９は、従来のプライミング処理の様子を模式的に示したものであり、プライミングローラ２３の直上にスリットノズル１０が対峙して、プライミング処理が実行される様子をローラおよびノズルの長手方向に直交する方向で切断した状態の断面図で示している。
図９（Ａ）は、ノズル１０より回転停止中のローラ２３の頂部中央に予め定められた量のレジスト液Ｒを吐出し、ノズル１０の先端とローラ２３との間のギャップにレジスト液Ｒが介在して、レジスト液Ｒがローラ２３に着液した状態（着液状態）を示している。
この状態で、図９（Ｂ）に示すように、数秒程度停止状態（待機状態）になされ、この間において、レジスト液Ｒがノズル１０の吐出口全体に広がるように作用する。
【０００９】
続いて、図９（Ｃ）にローラ２３は、例えば矢印ａで示すように時計回り方向に回転駆動され、ローラ２３はノズル１０から吐出されたレジスト液Ｒを巻き取るように動作する。前記ローラ２３によるレジスト液Ｒの巻き取り動作により、ノズルとローラ間の薬液の介在状態が解かれ、図９（Ｄ）に示すように、レジスト液Ｒがノズル１０の先端から切れた状態（液切れ状態）になされる。
これにより、ノズル１０の先端に付着するレジスト液の量が全体に均一となるように調整され、プライミング処理が終了する。
【発明の概要】
【発明が解決しようとする課題】
【００１０】
ところで、前記したプライミング処理方法においては、ノズル１０から規定量のレジスト液を吐出し、これをローラ２３によって巻き取るようになされるので、ローラ２３上におけるレジスト液の巻き取り距離が相応に長くなる。したがって、ローラの表面位置を変えて、次のプライミング処理を施すにしても、プライミング処理の実行回数を多くとることは不可能となる。
【００１１】
また、図９（Ａ）に示すレジスト液Ｒの着液箇所におけるレジスト液の量が最も多くなり、ローラの回転に伴って液が垂れてローラ上を回り込むなどして、次のプライミング処理におけるローラ上の液の吐出箇所の確保が困難になる。
したがって、プライミングローラを洗浄処理する頻度が多くなり、かつ多量のレジスト液がローラに付着するために、洗浄液の浪費、さらにはプライミング処理によるレジスト液Ｒの浪費も重なることになる。
【００１２】
前記した問題を解消するために、プライミング処理におけるレジスト液の吐出量を少なくするように予め調整することも考えられるが、単に液の吐出量が少なくなるように絞った場合には、スリットノズルの長手方向の全体において一様に液を吐出させることが不可能となり、結果としてノズルの吐出口におけるレジスト液の付着状態を一様に整えることが不可能になる。
すなわち、前記プライミング処理においては、その初期においてローラ上の長手方向に一様にレジスト液が乗るようにして液を広げる作用が必要であり、このためには特に前記した着液の工程において、ある程度の液量をノズルから吐出させる必要がある。
【００１３】
本発明は、前記した従来技術の諸問題を解消するためになされたものであり、基板の幅方向に長いスリット状の吐出口を有するノズルを備えた塗布装置において、プライミングローラ上での処理液（薬液）としてのレジスト液の巻き取り距離および巻き取り量を少なくし、プライミングローラの洗浄も容易にすることができる塗布装置およびノズルのプライミング処理方法を提供することを課題とするものである。
【課題を解決するための手段】
【００１４】
前記した課題を解決するためになされた独立請求項で示すこの発明にかかる塗布装置は、被処理基板の幅方向に長いスリット状の吐出口を有し、前記基板に対して前記吐出口から薬液を吐出するノズルと、前記ノズルに対し前記基板を相対移動させる相対移動手段とを具備する塗布装置であって、前記塗布装置の一部に配置された前記被処理基板への薬液の塗布処理の準備に用いられるプライミングローラと、前記ノズルの吐出口を前記プライミングローラの直上に対峙させることが可能なノズル移動機構と、前記ノズルに薬液を供給する薬液供給路中に配置され、前記ノズルから吐出された薬液を一時的に吸引することができる減圧手段とが具備され、前記ノズル移動機構により、前記プライミングローラの長手方向の直上に沿って、前記ノズルのスリット状吐出口を対峙させて、前記プライミングローラ上に薬液を吐出するプライミング処理が実行される状態において、前記減圧手段によりプライミングローラ上に吐出された薬液を一時的にノズル側に吸引する動作が実行される点に特徴を有する。
【００１５】
また、前記した課題を解決するためになされた独立請求項で示すこの発明にかかる塗布装置におけるノズルのプライミング処理方法は、被処理基板の幅方向に長いスリット状の吐出口を有し、前記基板に対して前記吐出口から薬液を吐出するノズルと、前記ノズルに対し前記基板を相対移動させる相対移動手段とを具備する塗布装置におけるノズルのプライミング処理方法であって、前記プライミングローラの長手方向の直上に沿って、前記ノズルのスリット状吐出口を対峙させた状態において、前記ノズルより前記ローラに薬液を吐出させて、前記ノズルとローラとの間のギャップに薬液を介在させる着液ステップと、前記プライミングローラ上に吐出された薬液を一時的にノズル側に吸引するサックバックステップと、前記プライミングローラを回転駆動させることで、前記ギャップに介在する薬液をローラ側に巻き取り、ノズルとローラ間の薬液の介在を解いて液切れ状態にする巻き取りステップとを実行する点に特徴を有する。
【００１６】
前記した塗布装置およびノズルのプライミング処理方法によると、プライミングローラ上にノズルから薬液が吐出されてプライミング処理が実行される状態において、予め定められた量のレジスト液がノズルから吐出され、ノズルとローラとのギャップ間に薬液が介在された着液状態になされる。その後において、前記プライミングローラ上に吐出された薬液を一時的にノズル側に吸引するサックバックステップが実行される。
【００１７】
これによると、最初のステップの着液状態においては、予め定められた量のレジスト液をノズルから吐出させることができるので、レジスト液はノズルの吐出口全体に広がるように作用し、その後のプライミング処理を順調に行うことができる。
その後において、前記サックバック動作が実行されるので、今度はローラ上に余剰に広がろうとするレジスト液が一時的に回収されることになり、プライミングローラ上でのレジスト液の巻き取り距離および巻き取り量を少なくすることができる。
【００１８】
したがって、プライミング処理によるローラへのレジスト液の付着量が低減されるため、ローラの洗浄も容易にすることができ、ローラの洗浄液ならびにプライミング処理に基づくレジスト液の浪費も抑制させることができる。
さらに、ローラによるレジスト液の巻き取り距離も短くすることができるので、１つのローラにおいて、プライミング処理に利用できる回数を増大させることができる。これにより、ローラの洗浄頻度を少なくできるのできる、もしくは径の小さなローラを使用することもできるなどの効果も享受することができる。
【発明の効果】
【００１９】
この発明によれば、基板の幅方向に長いスリット状の吐出口を有するノズルを備えた塗布装置において、プライミングローラ上での処理液の巻き取り距離および巻き取り量を少なくすることができるので、プライミングローラの洗浄も容易にすることができる塗布装置およびノズルのプライミング処理方法を提供することが可能となる。
【図面の簡単な説明】
【００２０】
【図１】この発明にかかる塗布装置の全体構成を示した平面図である。
【図２】図１に示す塗布装置に搭載されたノズル形態を示す縦断面図である。
【図３】図２におけるＡ−Ａ線より矢印方向に視たノズルの拡大断面図である。
【図４】図１に示す塗布装置に搭載されたサックバックバルブの例を示した断面図である。
【図５】図１に示す塗布装置において実行されるプライミング処理の第１の例を示した模式図である。
【図６】同じくプライミング処理の第２の例を示した模式図である。
【図７】同じくプライミング処理の第３の例を示した模式図である。
【図８】同じくプライミング処理の第４の例を示した模式図である。
【図９】従来のプライミング処理の一例を示した模式図である。
【発明を実施するための形態】
【００２１】
以下、この発明にかかる塗布装置およびノズルのプライミング処理方法について、図に基づいて説明する。なお、図１に示す実施の形態は、この発明に係る塗布装置を、被処理基板であるガラス基板を浮上搬送しながら、前記基板に対してレジスト液の塗布膜形成を行うユニットに適用した例に基づいて説明する。
【００２２】
図１に示すように、塗布装置１はガラス基板Ｇを枚様式に一枚ずつ浮上搬送するための浮上搬送部２Ａと、前記浮上搬送部２Ａから基板Ｇを受け取り、コロ搬送するコロ搬送部２Ｂとを備え、基板Ｇをいわゆる平流し搬送するように構成されている。前記浮上搬送部２Ａにおいては、基板の搬送方向であるＸ方向に延長された浮上ステージ３が設けられている。
【００２３】
浮上ステージ３の上面には、図示するように多数のガス噴出口３ａとガス吸気口３ｂとがＸ方向とＹ方向に一定間隔で交互に設けられ、ガス噴出口３ａからの不活性ガスの噴出量と、ガス吸気口３ｂからの吸気量との圧力負荷を一定にすることによって、ガラス基板Ｇを浮上させるようになされている。
なお、この実施の形態ではガスの噴出及び吸気により基板Ｇを浮上させるようにしているが、これに限らず、ガス噴出のみの構成によって基板を浮上させることもできる。
【００２４】
また、前記コロ搬送部２Ｂにおいては、浮上ステージ３の後段に、コロ駆動部４によって回転駆動される複数本のコロ軸４ａが並列に設けられている。各コロ軸４ａには、複数の搬送コロ４ｂが取り付けられ、これら搬送コロ４ｂの回転によって基板Ｇを搬送するようになされる。
【００２５】
また、前記浮上ステージ３の幅方向（Ｙ方向）の左右側方には、Ｘ方向に平行に延びる一対のガイドレール５が配置されている。この一対のガイドレール５には、ガラス基板Ｇの四隅の縁部を下方から吸着保持してガイドレール５上を移動する４つの基板キャリア６が設けられている。これら基板キャリア６により浮上ステージ３上に浮上したガラス基板Ｇを搬送方向（Ｘ方向）に沿って移動させるように作用する。
【００２６】
なお、前記浮上搬送部２Ａからコロ搬送部２Ｂへの基板の引き渡しを円滑に行うために、ガイドレール５は前記浮上ステージ３の左右側方だけでなく、コロ搬送部２Ｂの側方にまで延設されている。また、前記基板キャリア６による基板Ｇの保持、及び搬送動作は、コンピュータからなる制御部３０により制御される。
【００２７】
図１に示すように塗布装置１の浮上ステージ３上には、ガラス基板Ｇにレジスト液を吐出するノズル１０が設けられている。前記ノズル１０は、Ｙ方向に向けて長い略直方体形状に形成され、ガラス基板ＧのＹ方向の幅よりも長く形成されており、その詳細は図２および図３に基づいて後で説明する。
なお、図１に示す構成においては、ノズル１０の下方と浮上ステージ３との間においてガラス基板ＧがＸ方向に搬送される。すなわち、ガイドレール５及び基板キャリア６により、ノズル１０に対し基板Ｇを相対的に移動させる相対移動手段が構成されている。
【００２８】
また、図１に示すようにノズル１０の両外側には、Ｘ方向に延びる一対のガイドレール２１が配置されている。前記ノズル１０は、ガイドレール２１上を移動するノズルアーム２２によって保持されている。そしてノズル１０は、ノズルアーム２２が有する駆動機構により、ガイドレール２１に沿ってＸ方向に移動可能になされている。加えて、前記ノズルアーム２２には、昇降機構が設けられており、これによりノズル１０は、所定の高さに昇降可能になされる。
【００２９】
かかる構成により、前記ノズル１０は、ガラス基板Ｇにレジスト液を吐出する吐出位置と、それより上流側にあるプライミングローラ２３、及び待機部２５との間を移動可能になされている。
なお、ノズルアーム２２の前記した駆動機構および昇降機構は、コンピュータからなる前記制御部３０により制御され、前記ノズル１０を基板Ｇにレジスト液を塗布する位置と、前記基板Ｇが搬送される領域の上部に固定配置された前記プライミングローラ２３、及び待機部２５の位置との間で移動させるノズル移動機構を構成している。
【００３０】
前記プライミングローラ２３は、ノズル１０の後述する吐出口１４に均一にレジスト液を付着させるためのプライミング処理に用いられる。このローラ２３は、洗浄タンク２４内に軸周りに回転可能に収容されており、前記制御部３０からの指令により、図示せぬ駆動源からの動力を受けて回転制御されるように構成されている。
前記ノズル１０のプライミング処理の際には、ローラ２３の直上にノズル１０の吐出口１４を対峙させて、ローラ２３を回転させながら、吐出口１４からローラ２３にレジスト液を吐出する。これにより、吐出口１４におけるレジスト液の付着状態が整えられ、吐出口１４におけるレジスト液の吐出状態を安定化させることができる。
【００３１】
また、前記した待機部２５には、前記ノズル１０の吐出口１４に付着した余分なレジスト液を洗浄し除去するノズル洗浄部２５ａ、およびノズル１０よりいわゆるダミー吐出を行うダミーディスペンス部２５ｂとが備えられている。
【００３２】
前記した塗布装置１には、他に付帯設備としてレジスト液の供給源４０、洗浄液の供給源４１が具備され、これらと前記ノズル１０との間で、ポンプおよび三方弁等を介して薬液の供給がなされるように構成されている。
すなわち、レジスト液の供給源（図１では、レジスト供給源と標記している。）４０には、送出ポンプ４２が備えられ、レジスト液の供給源４０から送出ポンプ４２、三方弁４４、減圧手段として機能するサックバックバルブ４６、薬液供給路４７を介してレジスト液がノズル１０に供給できるように構成されている。
【００３３】
また、洗浄液供給源４１にはノズル１０内を洗浄するためのシンナーが貯留され、この洗浄液は、送出ポンプ４３、三方弁４４、薬液供給ライン４７等を介してノズル１０に供給できるように構成されている。
そして、前記送出ポンプ４２，４３、三方弁４４およびサックバックバルブ４６はコンピュータからなる前記制御部３０により動作が制御されるように構成されている。
【００３４】
図２および図３は、図１に示す塗布装置１に搭載されたスリットノズル１０の構成を示したものである。すなわち、図２はノズルのスリット部分に沿って破断して示した状態の縦断面図であり、図３は図２におけるＡ−Ａ線から矢印方向に視た状態を拡大して示した断面図である。
【００３５】
このスリットノズル１０は長尺状に形成された第１と第２のノズルパーツ１１，１２が所定のギャップを介して対峙した構成にされている。
そして、第１と第２のノズルパーツ１１，１２のうち、少なくとも一方、すなわち図に示す形態においては、第１のノズルパーツ１１の内側面のほぼ中央部に長手方向に沿って半円柱状のくりぬき部１３が形成されており、これがノズル１０のキャビティを構成している。そして、ノズル１０における中央の上端部には前記キャビティ１３に連通するようにして薬液導入部１５が取り付けられている。
【００３６】
前記した構成のノズル１０には、その長手方向の中央に形成された薬液導入部１５から前記したレジスト液が導入され、レジスト液はキャビティ１３を介してノズルの長手方向に流れるとともに、ノズル１０の下端部にスリット状に形成された吐出口１４よりレジスト液を帯状（線状）に吐出するように作用する。
【００３７】
次に図４は、図１に示す塗布装置１に搭載され、ポンプ４２，４３とノズル１０との間の薬液供給路４７中に配置されたサックバックバルブ４６の例を示すものである。これは、シリンダ４６ａと、このシリンダ４６ａ内を上下動する弁４６ｂと、弁４６ｂを支持するロッド４６ｃと、前記ロッド４６ｃを上下動させるアクチュエータ４６ｄと、コイル状スプリング４６ｅより構成されている。
【００３８】
前記の構成において、アクチュエータ４６ｄが図１に示す制御部３０からの指令を受けて作動すると、ロッド４６ｃが図の上方向に移動し、これに伴い弁４６ｂも同方向に移動する。したがって、弁４６ｂの直下における空間容積４６ｆが一時的に拡張して、サックバックバルブ４６が接続された前記薬液供給路４７内が減圧される。
一方、前記アクチュエータ４６ｄが非動作状態になると、前記スプリング４６ｅによって、弁４６ｂの位置は元の状態に復帰するように構成されている。
【００３９】
以上説明した図１〜図４に示す塗布装置１によってなされるノズル１０のプライミング処理方法について、図５〜図８に示す各例に基づいて説明する。なお、図５〜図８に示す各例は、ローラ２３およびノズル１０の長手方向に直交する方向で切断した状態の断面図で示しており、これはすでに説明した従来のプライミング処理方法を示す図９と同様の断面図で示している。
【００４０】
図５は、この発明に係るプライミング処理方法の第１の例を示すものである。まず、ノズル１０のプライミング動作にあたっては、図１に基づいて説明したとおり、ノズルアーム２２を含む前記ノズル移動機構を利用して、ノズル１０のスリット状吐出口１４が前記プライミングローラ２３の長手方向の直上に沿って対峙するように移動される。
【００４１】
図５（Ａ）は、プライミング処理の初期において行われる着液ステップを示しており、ノズル１０より回転停止中のローラ２３の頂部中央に予め定められた量のレジスト液Ｒが吐出される。これにより、レジスト液Ｒがローラ２３上に着液し、ノズル１０の先端とローラ２３と間のギャップにレジスト液Ｒが介在した状態となる。
このステップの実行により、レジスト液Ｒはローラ２３上に広がりつつ、ノズル１０のスリット状吐出口１４の全体に広がるように作用する。
【００４２】
図５（Ｂ）は、サックバックステップを示しており、これは減圧手段として作用する前記したサックバックバルブ４６の作用を利用するものである。これにより、プライミングローラ２３上に吐出されたレジスト液Ｒは、一時的にノズル１０側に吸引するようになされる。
【００４３】
続いて図５（Ｃ）は、薬液（レジスト液Ｒ）の巻き取りステップの初期状態を示しており、ここでは前記プライミングローラ２３は、図において矢印ａ方向、すなわち時計回り方向に回転駆動され、これによりローラ２３はノズル１０との間のギャップに介在するレジスト液Ｒをローラ２３側に巻き取るように作用する。
【００４４】
図５（Ｄ）は、前記巻き取りステップの最後の状態を示すものであり、この図に示す例では、前記ギャップに介在する薬液（レジスト液Ｒ）は、ローラ２３側に巻き取られることで、ノズルとローラ間の介在状態が解かれ、薬液はノズル１０の先端から切れた状態（液切れ状態）になされる。
前記液切れ状態において、ノズル１０の先端に付着するレジスト液の量は、その長手方向においてほぼ均一となるように調整される。この時点でローラ２３の回転駆動は停止され、プライミング処理は終了する。
【００４５】
図５に示した例は、サックバックステップを含むこの発明にかかるプライミング処理方法の最も基本的な動作であり、前記した課題を解決するための手段の欄において記載した独自の作用効果を得ることができる。
なお、前記したプライミング処理方法において、図５（Ｂ）に示すサックバックステップにおいては、プライミングローラ２３の回転は停止させた状態で、ローラに着液した薬液を吸引し、その後に巻き取りステップが開始されるようになされている。
しかしながら、これはサックバックステップの実行中において、前記巻き取りステップが開始されるようにしても同様の効果を得ることができる。
【００４６】
図６は、プライミング処理方法の第２の例を示すものである。この例は巻き取りステップとして、プライミングローラの一方向への回転動作に続いて、プライミングローラの逆方向への回転動作が実行されるようになされるものである。
すなわち、図６（Ａ）は、着液ステップを示しており、これはすでに説明した図５（Ａ）に示す着液ステップの例と同様である。
続いて、図６（Ｂ）は、サックバックステップを示しており、この例では薬液のサックバック動作と同時にプライミングローラ２３が一方向、すなわち矢印ａ方向に回転駆動されるようになされる。
【００４７】
続いて、図６（Ｃ）に示すように、プライミングローラ２３は他方向、すなわち矢印ｂ方向に回転駆動されるようになされる。この時、図６（Ｃ）に示す例では薬液のサックバック動作は停止されているが、この図６（Ｃ）に示す状態においてもサックバック動作が継続されていても良い。
【００４８】
図６（Ｄ）は、薬液がローラ２３側に巻き取られることにより液切れ状態になされた例を示しており、前記したサックバック動作およびローラ２３の正逆回転の作用により、比較的短いローラ上の回転方向の距離において液切れ状態になされ、正常なプライミング処理がなされることが示されている。
【００４９】
図７は、プライミング処理方法の第３の例を示すものである。この例は巻き取りステップの最後においてなされる液切れ状態が促進されるように工夫を施したものである。
すなわち、図７における（Ａ）〜（Ｃ）は、すでに説明した図５（Ａ）〜（Ｃ）と作用は同一である。
そして図７（Ｄ）は、液切れ状態になされる場合を示しており、これは、巻き取りステップの終了時において、前記プライミングローラ２３の回転速度を、矢印ａで示す回転速度に加えて、矢印ｃに示すように加速させることで、液切れ状態を促進するように作用させるものである。このような操作を実行することで、ローラ上の比較的短い回転方向の距離において液切れ状態にすることが可能となる。
【００５０】
また、液切れ状態を促進するように作用させるには、図７（Ｄ）に矢印ｄで示すようにノズル１０を水平方向に移動し、前記ノズル１０とプライミングローラ２３との水平方向の距離を一時的に離す動作を実行することも効果的である。
図７（Ｄ）に示す例では、前記したノズル移動機構を利用してノズル１０を図１に示すＸ方向に移動させることで実現することができ、この動作によっても、ローラ上の比較的短い回転方向の距離において液切れ状態にすることが可能となる。
【００５１】
なお、図７（Ｄ）に矢印ｄで示すようにノズル１０を水平方向に移動させる代わりに、相対的にローラ２３を水平方向に移動させても同様の作用効果を得ることができる。さらに、図７（Ｄ）に示すようにローラ２３の回転速度を矢印ｃに示すように加速させる手段と、矢印ｄで示すようにノズル１０を水平方向に移動させる手段を併用すれば、より効果的に液切れ状態にすることができる。
【００５２】
図８は、プライミング処理方法の第４の例を示すものである。この例は着液ステップの実行後において、ノズルとローラとの間のギャップを狭める動作が実行され、サックバックステップの実行後において、ノズルとローラとの間のギャップを前記着液ステップの実行時の状態に戻すように動作させるものである。
【００５３】
すなわち、図８（Ａ）は、着液ステップを示しており、これはすでに説明した図５（Ａ）に示す着液ステップの例と同様である。
続いて、図８（Ｂ）は、サックバックステップを示しており、この例では薬液のサックバック動作と同時に、ノズル１０が矢印ｅ方向に下降してローラ２３とノズル１０との間のギャップが狭められる。
そして、サックバックステップの実行後において、図８（Ｃ）に示すようにノズル１０が矢印ｆ方向に上昇し、ローラ２３とノズル１０との間のギャップが前記着液ステップの実行時の状態に戻される。
【００５４】
前記した動作によると、ローラとノズル間のギャップが一時的に狭められるので、薬液の吐出量は少なくて済むと同時に、ローラ上の比較的短い回転方向の距離において液切れ状態にすることが可能となる。
加えて、図８（Ｄ）に示す液切れ状態になされる場合において、ローラ２３の回転速度を、矢印ａで示す回転速度に加えて矢印ｃに示すように加速させることで、効果的に液切れ状態にすることができる。
【００５５】
なお、以上説明した実施の形態においては、薬液のサックバック動作を実行するための減圧手段として、サックバックバルブ４６を利用するようにしているが、これは図１に示すポンプ４２のリロード動作により行うことも可能である。
また、以上は本発明にかかる塗布装置をレジスト塗布処理ユニットに適用した例に基づいて説明したが、本発明にかかる塗布装置は、このようなユニットに限定されることなく、他の基板処理ユニット等にも好適に用いることができる。
【符号の説明】
【００５６】
１          塗布装置
１０        ノズル
１４        吐出口
２３        プライミングローラ
４２，４３  ポンプ
４６        減圧手段（サックバックバルブ）
４７        薬液供給路
Ｇ          被処理基板
【図１】
0005204164.tif 000002
【図２】
0005204164.tif 000003
【図３】
0005204164.tif 000004
【図４】
0005204164.tif 000005
【図５】
0005204164.tif 000006
【図６】
0005204164.tif 000007
【図７】
0005204164.tif 000008
【図８】
0005204164.tif 000009
【図９】
0005204164.tif 000010